(57)【特許請求の範囲】
【請求項１】
フロートガラスを製造するフロート槽において、
前記フロート槽の上部に備えられて前記フロート槽の内部に熱を供給する複数のヒーター、及び
前記複数のヒーターのうち所定ヒーターの間に備えられて、隣接する他のヒーターから伝達される熱放射を遮断する遮断膜を含み、前記フロート槽の全領域をコントロールゾーンという複数の区域に区分し、
各コントロールゾーンに１つ以上のヒーターを設け、各コントロールゾーン毎に電力供給線が別途連結されて各コントロールゾーン毎に相異なる量の電力が供給されることで、各コントロールゾーン毎に供給されるヒーターの熱量が相異なるようにし、
各コントロールゾーンの間に前記遮断膜が設けられ、
前記コントロールゾーンは、前記フロート槽の上流側から下流側に複数のコントロールゾーンに分割され、かつ前記フロート槽の左側から右側に複数のコントロールゾーンに分割される２軸方向に区分されている、フロート槽。
【請求項２】
前記遮断膜が、プレート状に構成された、請求項１に記載のフロート槽。
【請求項３】
前記遮断膜が、上下方向の長さ調節が可能である、請求項１または２に記載のフロート槽。
【請求項４】
前記遮断膜が、少なくとも一部分の角度調節が可能である、請求項１〜請求項３のうちいずれか一項に記載のフロート槽。
【請求項５】
前記遮断膜が、下端部が曲げられた、請求項１〜請求項４のうちいずれか一項に記載のフロート槽。
【請求項６】
前記フロート槽が、前記フロート槽の内部温度を測定する温度測定部を更に含む、請求項１〜請求項５のうちいずれか一項に記載のフロート槽。
【請求項７】
前記温度測定部が、前記遮断膜によって区分される区域毎に温度を測定する、請求項６に記載のフロート槽。
【請求項８】
前記ヒーターが、前記温度測定部による温度測定値に応じて特定区域の熱供給量を制御する、請求項７に記載のフロート槽。
【請求項９】
前記遮断膜が、耐火物材質からなる、請求項１〜請求項８のうちいずれか一項に記載のフロート槽。
【請求項１０】
請求項１〜請求項９のうちいずれか一項に記載のフロート槽を含むガラスの製造装置。
【請求項１１】
請求項１〜請求項９のうちいずれか一項に記載のフロート槽を利用してガラスを製造する方法。
【発明の詳細な説明】
【技術分野】
【０００１】
本発明は、フロートガラスを製造する技術に関し、より詳しくは、内部の位置毎の温度制御が容易なフロート槽（ｆｌｏａｔ ｂａｔｈ）、それを含むガラスの製造装置、及びガラスの製造方法に関する。
【０００２】
本出願は、２０１２年４月９日出願の韓国特許出願第１０−２０１２−００３６７２０号に基づく優先権を主張し、該当出願の明細書及び図面に開示された内容は、すべて本出願に援用される。
【背景技術】
【０００３】
近年、窓ガラス、車両のウィンドスクリーン、鏡など多様な分野であらゆる種類の平板ガラス（ｆｌａｔ ｇｌａｓｓ）が用いられている。このような平板ガラスは、多様な方式で製造できるが、そのうち代表的な方式は、フロート（ｆｌｏａｔ）法を利用した生産方式である。例えば、ＴＦＴディスプレイ用などの薄板ガラス（ｔｈｉｎ ｇｌａｓｓ ｐｌａｎｅ）またはガラスフィルム（ｇｌａｓｓ ｆｉｌｍ）などがフロート法で多く製造されているが、このようにフロート法で製造されたガラスをフロートガラスともいう。
【０００４】
図１は、フロートガラスを製造するフロート槽の構成を概略的に示した図である。
【０００５】
図１に示されたように、フロートガラスは、一般に溶融錫または溶融錫合金のような溶融金属（Ｍ）が貯蔵されて流動するフロート槽１０を用いて成形される。このとき、フロート槽は、下部に位置するボトム部１２及び上部に位置するルーフ部１１を含むことができ、このようなボトム部１２とルーフ部１１との間には、サイドシール（図示せず）が介在され得る。
【０００６】
このようなフロート槽１０では、溶融金属（Ｍ）より低い粘度を有し、溶融金属（Ｍ）より略２／３程度軽い溶融ガラス（Ｇ）が、入口を通じて連続的にフロート槽１０の内部に供給される。そして、このような溶融ガラスは、溶融金属（Ｍ）上で浮動（ｆｌｏａｔｉｎｇ）及び拡散（ｓｐｒｅａｄｉｎｇ）しながらフロート槽１０の下流側に進む。この過程で溶融ガラスは、自らの表面張力と重力によって平衡厚さ付近に到達して、ある程度凝固したガラスストリップまたはリボンが形成される。このようなフロート槽１０では、入口を通じて投入されるガラスの量、ローラーの回転速度によって決定されるけん引速度、並びにフロートチャンバー（ｆｌｏａｔ ｃｈａｍｂｅｒ）内部に設けられたトップローラーのような成形手段の調節及び変化を通じて、生産されるガラスリボンの厚さを変化させることができる。
【０００７】
なお、このようにフロート槽１０で成形された溶融ガラスリボンは、フロート槽１０の出口に隣接したローラー３０によって、徐冷炉（ａｎｎｅａｌｉｎｇ  ｆｕｒｎａｃｅ）に移送されて徐冷工程を経るようになる。
【０００８】
このようなフロートガラスの製造方法は、循環する連続的な工程を含み、絶えず永久的に稼動でき、ほとんど中断せず数年以上平板ガラスを製造できるため、平板ガラスの代表的な製造方法として脚光を浴びている。
【０００９】
このようにフロート槽１０を用いたフロートガラスを製造する際、フロート槽１０の内部の温度制御が非常に重要である。特に、フロート槽１０の内部には溶融金属（Ｍ）が収容されており、このような溶融金属（Ｍ）の上部では溶融ガラス（Ｇ）が浮動するため、フロート槽の内部は、例えば１３００℃〜６００℃程度の高温に維持される。また、溶融金属上部の溶融ガラスは、フロート槽の下流側に進みながら平板に拡散し、ある程度凝固せねばならないため、フロート槽１０は上流側から下流側にいくほど温度が徐々に低下するように構成される。
【００１０】
このように、フロート槽１０の内部は、高温でありながらも部分的に温度差があり得る。そして、フロートガラスは連続的に成形されるため、このようなフロート槽１０内部の温度制御は、一定に維持される必要がある。
【００１１】
通常、フロート槽１０内部の温度制御は、ヒーター２０及びクーラーなどにより行われる。ここで、ヒーター２０は、フロート槽１０のルーフ部１１に複数備えられ、フロート槽１０の内部に熱を供給することができる。特に、このようなヒーター２０は、それぞれのヒーター２０または所定グループのヒーター２０毎に相異なる熱量を供給することで、フロート槽１０の位置によって温度差が形成されるように構成され得る。例えば、フロート槽１０の内部をコントロールゾーン（ｃｏｎｔｒｏｌ ｚｏｎｅ）という複数の区域に区分し、各コントロールゾーンに１つ以上のヒーター２０を設けて該区域に熱を供給することができる。
【００１２】
しかし、このようにそれぞれのヒーター２０〜所定グループのヒーター２０毎に相異なる熱量を供給し、フロート槽１０の位置による温度差を形成しようとする場合、このようなフロート槽１０の位置毎の温度制御が容易ではない。特に、フロート槽１０の位置毎の温度制御を難しくする最も主な原因の一つは、隣接する他のヒーター２０から伝達される熱放射のような熱伝達である。例えば、フロート槽１０の内部が複数のコントロールゾーンに分割され、各コントロールゾーン毎に設けられたヒーター２０によって相異なる熱量が供給されるとしても、特定のコントロールゾーンには該コントロールゾーンに設けられたヒーター２０からだけでなく、隣接する他のコントロールゾーンに設けられたヒーター２０からも熱が供給され得る。
【００１３】
従って、従来のフロート槽１０の構成による場合、フロート槽１０の位置毎の温度制御が非常に難しい。そして、このようなフロート槽１０の温度制御がうまく行われない場合、ガラスの品質に良くない影響を及ぼす恐れがあるため、結局ガラスの生産歩留まりが減少し、製造時間及びコストが増加する問題点が発生する恐れがある。
【発明の概要】
【発明が解決しようとする課題】
【００１４】
本発明は、上記問題点に鑑みてなされたものであり、位置毎の温度制御が容易なフロート槽、それを含むガラスの製造装置、及び該フロート槽を利用したフロートガラスの製造方法を提供することを目的とする。
【００１５】
本発明の他の目的及び長所は、下記の説明によって理解され得、本発明の実施例によってより明確に理解され得る。また、本発明の目的及び長所は、特許請求の範囲に示された手段及びその組合せによって実現できる。
【課題を解決するための手段】
【００１６】
上記の課題を達成するため、本発明によるフロート槽は、上記のフロート槽の上部に複数備えられて前記フロート槽の内部に熱を供給するヒーター；及び前記複数のヒーターのうち所定ヒーターの間に備えられて熱伝逹を遮断する遮断膜を含む。
【００１７】
望ましくは、前記複数のヒーターは、一つまたはそれ以上のヒーター毎に相異なる熱量を供給する。
【００１８】
また、望ましくは、前記遮断膜は相異なる熱量を供給するヒーター同士の間に備えられる。
【００１９】
また、望ましくは、前記遮断膜は上下方向に長さ調節が可能である。
【００２０】
また、望ましくは、前記遮断膜は少なくとも一部分の角度調節が可能である。
【００２１】
また、望ましくは、前記遮断膜は下端部が曲げられる。
【００２２】
また、望ましくは、前記フロート槽の内部温度を測定する温度測定部を更に含む。
【００２３】
また、上記のような目的を果たすための本発明によるガラスの製造装置は、上述したフロート槽を含む。
【００２４】
また、上記のような目的を果たすための本発明によるガラスの製造方法によれば、上述したフロート槽を利用してガラスを製造する。
【発明の効果】
【００２５】
本発明によれば、フロート槽の内部温度を効果的に制御することができる。
【００２６】
特に、本発明によれば、近傍に設けられた他のヒーターから不要な熱伝達が行われることを防止することができる。従って、フロート槽内部の位置毎に相異なる温度で制御することがより容易である。
【００２７】
例えば、フロート槽の内部領域を複数の区域、すなわち複数のコントロールゾーンに分割し、各コントロールゾーン毎に相異なる熱量を供給してフロート槽の位置毎の温度勾配を形成するとき、他のコントロールゾーンに設けられたヒーターによる放射熱の伝達を遮断するかまたは減少させることができる。
【００２８】
従って、本発明によれば、溶融金属〜溶融ガラスに提供される熱量を位置毎に差等化することがより容易になる。従って、本発明によれば、フロートガラスの品質及び歩留まりを向上でき、フロートガラスの製造コストや時間を節減することもできる。
【図面の簡単な説明】
【００２９】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】フロートガラスを製造するフロート槽の構成を概略的に示した図である。
【図２】本発明の一実施例によるフロート槽の構成を概略的に示した側断面図である。
【図３】本発明の一実施例によるヒーター及び遮断膜の構成を概略的に示した図である。
【図４】本発明の一実施例によるコントロールゾーン及び遮断膜の配置構成を概略的に示した上面図である。
【図５】本発明の一実施例による遮断膜の形態を概略的に示した図である。
【図６】本発明の他の実施例による遮断膜の構成を概略的に示した図である。
【図７】本発明の更に他の実施例による遮断膜の構成を概略的に示した図である。
【図８】本発明の更に他の実施例による遮断膜の構成を概略的に示した図である。
【図９】本発明の更に他の実施例による遮断膜の構成を概略的に示した図である。
【発明を実施するための形態】
【００３０】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３１】
従って、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３２】
図２は、本発明の一実施例によるフロート槽１００の構成を概略的に示した側断面図である。図２の左側はフロート槽１００の上流側を示し、右側はフロート槽１００の下流側を示す。
【００３３】
図２を参照すれば、本発明によるフロート槽１００は、ヒーター１１０及び遮断膜１２０を含む。
【００３４】
前記ヒーター１１０は、フロート槽１００の内部に熱を供給してフロート槽１００の内部温度を制御する。特に、ヒーター１１０は、フロート槽１００の内部に収容されている溶融金属、及びその上部で浮動している溶融ガラスに適正な熱を供給する。
【００３５】
このようなヒーター１１０は、フロート槽１００内部への円滑な熱伝達及び設置上の便宜性など様々な面を考慮して、フロート槽１００の上部側に備えることができる。すなわち、ヒーター１１０は、フロート槽１００内部において、溶融金属や溶融ガラスの上面から上方に所定距離離隔した位置に設けることができる。
【００３６】
前記ヒーター１１０は、フロート槽１００内部全体に熱を供給しながらも、部分的に温度差を有するように温度勾配を形成するために、複数のヒーター１１０から成り得る。例えば、１つのフロート槽１００の上部には、数百〜数千個のヒーター１１０が１つの水平面上で互いに多少離隔した状態で配置され得る。
【００３７】
前記遮断膜１２０は、フロート槽１００内部に備えられた複数のヒーター１１０のうち所定ヒーター１１０の間に備えられることで、熱伝逹を遮断することができる。すなわち、前記遮断膜１２０は、その両側に位置したヒーター１１０の間で、放射熱の伝達による干渉現象が発生することを遮断するか又は減らすことができる。
【００３８】
例えば、図２に示されたように、フロート槽１００の上部に１２個のヒーター１１０が備えられた場合、３つのヒーター１１０毎にその間に遮断膜１２０を備えることができる。従って、１２個のヒーター１１０は、３つの遮断膜１２０によってａ１〜ａ４の４つの区域に分けることができ、それぞれの区域に位置したヒーター１１０は、その下部に位置する溶融ガラス及び／または溶融金属に熱を供給することができる。例えば、ａ１区域に位置するヒーター１１０はｂ１区域に位置する溶融ガラスに熱を供給し、ａ２区域に位置するヒーター１１０はｂ２区域に位置する溶融ガラスに熱を供給することができる。
【００３９】
この場合、遮断膜１２０は他の区域に位置するヒーター１１０から熱が供給されることを遮断または最小化することができる。すなわち、ｂ１区域に位置する溶融ガラスには、ａ１区域に位置するヒーター１１０からの熱が供給されるようにし、ａ２区域〜ａ４区域に位置するヒーター１１０からの熱供給は遮断するか又は減らすように、本発明の一実施例によるフロート槽１００はａ１区域とａ２区域との間に遮断膜１２０を備えることができる。このように、本発明では、所定ヒーター１１０の間に遮断膜１２０が備えられることで、遮断膜１２０の間で熱が伝達されることを遮断するか又は減少させることができる。
【００４０】
望ましくは、フロート槽１００に備えられた複数のヒーター１１０は、１つまたはそれ以上のヒーター１１０毎に相異なる温度で熱を供給することができる。このとき、フロート槽１００の全領域をコントロールゾーンという複数の区域に区分し、各コントロールゾーンに１つ以上のヒーター１１０を設けて各コントロールゾーン毎のヒーター１１０の熱供給量を相異ならせることができる。
【００４１】
そして、この場合、前記遮断膜１２０は、相異なる温度で熱を供給するヒーター１１０の間に備えることができる。すなわち、前記遮断膜１２０は、相異なる温度の熱が供給されるコントロールゾーンの間に備えられることで、コントロールゾーンの間におけるヒーター１１０による熱干渉を減少させることができる。
【００４２】
図３は、本発明の一実施例によるヒーター１１０及び遮断膜１２０の構成を概略的に示した図である。
【００４３】
図３を参照すれば、フロート槽１００の内部がｃ１〜ｃ５の５つのコントロールゾーンに区分され、各コントロールゾーンに３つのヒーター１１０が設けられている。そして、各コントロールゾーン毎に電力供給線（ｐ）が別途連結されてコントロールゾーン毎に相異なる量の電力を供給することができる。例えば、コントロールゾーンｃ１に設けられた３つのヒーター１１０は、同一の電力供給線（ｐ）に連結されているため、それぞれ同量の電力が供給され、コントロールゾーンｃ２に設けられた３つのヒーター１１０は、同一の電力供給線（ｐ）に連結されているため、これらにもそれぞれ同量の電力が供給されることになる。しかし、コントロールゾーンｃ１に設けられたヒーター１１０と、コントロールゾーンｃ２に設けられたヒーター１１０とは、相異なる電力供給線（ｐ）に連結されているため、これらにはそれぞれ異なる量の電力を供給することができる。従って、コントロールゾーンｃ１に設けられたヒーター１１０とコントロールゾーンｃ２に設けられたヒーター１１０とは、相異なる熱量を有し得る。同様に、ｃ３〜ｃ５に設けられたヒーター１１０も相異なる熱量を発生させることができる。
【００４４】
但し、場合によっては、相異なるコントロールゾーンにも同一の電力を供給することも可能である。例えば、コントロールゾーンｃ４に設けられたヒーター１１０とコントロールゾーンｃ５に設けられたヒーター１１０とには、同一電力を供給して同一熱量を発生するように具現することができる。
【００４５】
このように、フロート槽１００に備えられたヒーター１１０は、複数のコントロールゾーンに区分されて相異なる熱量を供給できるが、その場合、遮断膜１２０は相異なる熱量を供給するヒーター１１０の間に備えられ得る。すなわち、前記遮断膜１２０は、各コントロールゾーンの間に設けられ得る。例えば、図３の実施例において、遮断膜１２０は、コントロールゾーンｃ１とコントロールゾーンｃ２との間、コントロールゾーンｃ２とコントロールゾーンｃ３との間、コントロールゾーンｃ３とコントロールゾーンｃ４との間、及びコントロールゾーンｃ４とコントロールゾーンｃ５との間にそれぞれ備えられ得る。そして、各遮断膜１２０は、その両側に位置するコントロールゾーンの間で放射熱が伝達されることを減少させることで、相互の熱干渉の発生を減らすことができる。
【００４６】
なお、図３には、フロート槽１００の１軸方向にコントロールゾーンが区分される場合が示されているが、このようなコントロールゾーンは２軸方向に区分することもできる。そして、各コントロールゾーン同士の間には、遮断膜１２０が備えられ得る。
【００４７】
図４は、本発明の一実施例によるコントロールゾーン及び遮断膜１２０の配置構成を概略的に示した上面図である。図４の左側はフロート槽１００の上流側を示し、右側はフロート槽１００の下流側を示す。また、図面の上部側はフロート槽１００の左側を示し、下部側はフロート槽１００の右側を示す。そして、図４の点線は、溶融金属の上部で浮動している溶融ガラスを示す。
【００４８】
図４を参照すれば、フロート槽１００は、図面の左側から右側、すなわち上流側から下流側に、複数のコントロールゾーンに分割することができる。また、フロート槽１００は、図面の上部側から下部側、すなわちフロート槽１００の左側から右側にも、複数のコントロールゾーンに分割することができる。従って、フロート槽１００の全領域は、２軸方向に複数のコントロールゾーンに区分することができる。図面において、各コントロールゾーンは長方形であり、ｃで示されている。但し、図面が複雑にならないように、図４では一部のコントロールゾーンのみをｃで示した。
【００４９】
このような各コントロールゾーンには、１つ以上のヒーター１１０を設けることができる。従って、各コントロールゾーンには、それに備えられたヒーター１１０を通じて相異なる熱量を供給することができる。そして、各コントロールゾーンの間には遮断膜１２０を設けることができる。但し、図４では図面が複雑にならないように、遮断膜１２０の一部のみを１２０で示した。
【００５０】
このように、コントロールゾーンの間に遮断膜１２０が備えられていれば、コントロールゾーンの間における放射熱の伝達による熱干渉を減らすことができる。
【００５１】
従って、このような実施例によれば、各コントロールゾーン毎に温度を容易に調節できるため、フロート槽１００の精密な温度制御が可能になって、フロート槽１００の内部でフロートガラスの製造に好適な温度勾配を形成することができる。
【００５２】
なお、図４に示されたコントロールゾーンと遮断膜１２０の構成及び個数などは一例に過ぎず、本発明がこのような構成の具体的な実施例によって限定されることはなく、多様な構成が可能である。
【００５３】
望ましくは、前記遮断膜１２０は、プレート状に構成することができる。
【００５４】
図５は、本発明の一実施例による遮断膜１２０の形態を概略的に示した図である。特に、図５は、フロート槽１００内部で下部から上部を眺めたときの構成を示した図である。
【００５５】
図５に示されたように、遮断膜１２０は、広い面を有するプレート状に構成することができる。そして、このような遮断膜１２０は、上部から下方に垂下した形態でフロート槽１００の上部に設けることができ、その両面は相互間の熱伝達を遮断しようとするヒーター１１０にそれぞれ面することができる。
【００５６】
図６は、本発明の他の実施例による遮断膜１２０の構成を概略的に示した図である。
【００５７】
図６を参照すれば、コントロールゾーンｃ６とコントロールゾーンｃ７との間に遮断膜１２０が設けられている。そして、このような遮断膜１２０は、上下方向の長さ調節が可能に構成することができる。すなわち、使用者の選択によって、遮断膜１２０の下端部はフロート槽１００の上部側に移動するか、または、フロート槽１００の下部側に移動するように構成することができる。
【００５８】
遮断膜１２０の下端部がフロート槽１００の上部側に移動する場合、ヒーター１１０側から見たとき遮断膜１２０の上下方向の長さが短くなると言える。この場合、遮断膜１２０によるコントロールゾーンｃ６とコントロールゾーンｃ７との間の熱伝達の遮断効果が相対的に低下する。一方、遮断膜１２０の下端部がフロート槽１００の下部側に移動する場合、ヒーター１１０側から見れば、遮断膜１２０の上下方向の長さが長くなると言える。この場合、遮断膜１２０によるコントロールゾーンｃ６とコントロールゾーンｃ７との間の熱伝達の遮断効果が相対的に高くなる。
【００５９】
このような実施例によれば、遮断膜１２０の上下方向の長さ調節を通じて、フロート槽１００の内部温度をより調節し易い。
【００６０】
例えば、コントロールゾーンｃ６とコントロールゾーンｃ７との間の温度差をより明確にする場合、遮断膜１２０の下端部をフロート槽１００の下部側に移動させることで、すなわち遮断膜１２０の上下方向の長さを長くすることで、コントロールゾーンｃ７とコントロールゾーンｃ６との間の熱伝達をより一層遮断することができる。このときに、コントロールゾーンｃ６に属したヒーター１１０による放射熱がコントロールゾーンｃ７に伝達されることを防止し、コントロールゾーンｃ７に属したヒーター１１０による放射熱がコントロールゾーンｃ６に伝達されることを防止する効果を高めることができる。
【００６１】
逆に、コントロールゾーンｃ６とコントロールゾーンｃ７との間の温度差が過度であるか又は不要である場合などは、遮断膜１２０の上下方向の長さを短くすることで、コントロールゾーンｃ７とコントロールゾーンｃ６との間で熱がよく伝達されるようにすることができる。すなわち、コントロールゾーンｃ７に比べてコントロールゾーンｃ６の温度が高く、コントロールゾーンｃ７の温度を高める必要がある場合、遮断膜１２０の下端部を上方に移動させることで、ｃ６に属したヒーター１１０の供給熱をコントロールゾーンｃ７に到達させることができる。
【００６２】
図７は、本発明の更に他の実施例による遮断膜１２０の構成を概略的に示した図である。
【００６３】
図７を参照すれば、コントロールゾーンｃ８とコントロールゾーンｃ９との間に遮断膜１２０が設けられている。そして、このような遮断膜１２０は、角度を調節できるように構成することができる。すなわち、使用者の選択によって、遮断膜１２０の上下方向と溶融ガラスの表面とが成す角度を変化させることができる。
【００６４】
例えば、遮断膜１２０は、上下方向の長さと溶融ガラスの表面とが成す角度が垂直であり得る。しかし、場合によって遮断膜１２０は、コントロールゾーンｃ８側に傾くか、または、コントロールゾーンｃ９側に傾くこともできる。
【００６５】
このような実施例によれば、遮断膜１２０の角度調節を通じて、ヒーター１１０によって各コントロールゾーンに供給される熱量を制御することができる。すなわち、遮断膜１２０をコントロールゾーンｃ８側に傾けて構成するほど、コントロールゾーンｃ８に属したヒーター１１０の供給熱がコントロールゾーンｃ９に移動することをよりうまく遮断することができる。また、コントロールゾーンｃ８に属したヒーター１１０の供給熱がコントロールゾーンｃ８に移動することもよりうまく遮断することができる。それは、遮断膜１２０がコントロールゾーンｃ８側に傾くほど、コントロールゾーンｃ８に属したヒーター１１０が供給する放射熱の移動経路をより一層遮断できるためである。一方、このように遮断膜１２０をコントロールゾーンｃ８側に傾けて構成する場合、コントロールゾーンｃ９に属したヒーター１１０による放射熱は、コントロールゾーンｃ８により多く供給され得る。
【００６６】
なお、図７の実施例では、遮断膜１２０の全部分が傾くことにより角度調節が可能な構成が示されているが、これは一例に過ぎず、本発明が必ずしもこのような実施例によって限定されることはない。例えば、遮断膜１２０の上部は固定され、下部のみが角度調節できるように構成することもできる。
【００６７】
図８は、本発明の更に他の実施例による遮断膜１２０の構成を概略的に示した図である。
【００６８】
図８に示されたように、遮断膜１２０は、下端部を曲げた形態に構成することができる。すなわち、遮断膜１２０は、フロート槽１００の上部側から下方に垂下してから、下端部が両側に位置したヒーター１１０側に曲がるように構成することができる。そのため、遮断膜１２０は、図面に示されたように、下端部が下にいくほど徐々に厚くなるように構成することができる。または、遮断膜１２０は、下端部が両方向に分岐し、分岐した部分がそれぞれ遮断膜１２０の両側に位置したヒーター１１０側に曲がるように構成することもできる。
【００６９】
このような実施例によれば、下端部が曲げられた構成により、コントロールゾーン間の遮断膜１２０による熱伝達の遮断効果を更に向上させることができる。
【００７０】
図９は、本発明の更に他の実施例による遮断膜１２０の構成を概略的に示した図である。
【００７１】
図９を参照すれば、遮断膜１２０は、フロート槽１００の上部でヒーター１１０より低い位置に設けることができる。すなわち、遮断膜１２０の上端部が、ヒーター１１０の上端部と同じ位置ではなく、ヒーター１１０より低い位置に備えられるように構成することができる。
【００７２】
望ましくは、本発明によるフロート槽１００は、温度測定部を更に含むことができる。
【００７３】
前記温度測定部は、フロート槽１００内部の温度を測定することができる。特に、温度測定部は、遮断膜１２０によって区分される区域毎に温度を測定することができる。例えば、図４の実施例のように、フロート槽１００内部の領域が複数のコントロールゾーンに分割され、各コントロールゾーン同士の間に遮断膜１２０が備えられる場合、温度測定部は各コントロールゾーン毎に温度を測定することができる。そのため、温度測定部は、各コントロールゾーン毎に温度を測定するための別途のセンサーを設けるか、または、フロート槽１００の全領域の映像センサーなどを通じて、各コントロールゾーンの温度を測定するなどの多様な方式で各コントロールゾーンの温度を測定することができる。
【００７４】
この場合、前記ヒーター１１０は、このような温度測定部の温度測定値によって特定区域の熱供給量を制御することができる。例えば、温度測定部によって特定コントロールゾーンの温度が基準以下であると測定された場合、該当コントロールゾーンに属したヒーター１１０は、熱供給量を増やして該当コントロールゾーンの温度を上昇させることができる。逆に、温度測定部によって特定コントロールゾーンの温度が基準以上であると測定された場合、該当コントロールゾーンに属したヒーター１１０は、熱供給量を減らして該コントロールゾーンの温度を下降させることができる。
【００７５】
この場合、本発明によるフロート槽１００は、温度測定部による温度測定値に応じてヒーター１１０の熱供給量を制御するための制御部を別途含むことができる。
【００７６】
本発明によるフロート槽１００において、前記遮断膜１２０は、多様な材質から構成することができる。望ましくは、前記遮断膜１２０は、例えば１３００℃〜６００℃程度の非常に高い温度に維持されているフロート槽１００内部の環境でよく耐えて、変形し難い材質からなり得る。例えば、前記遮断膜１２０は、耐火物材質からなり得る。
【００７７】
上述したフロート槽１００は、フロートガラスの製造装置に含まれてフロートガラスの製造に利用される。すなわち、本発明によるフロートガラスの製造装置は、上述したフロート槽１００を含むことができる。そして、このようなフロートガラスの製造装置には、上述したフロート槽１００の外に、フロート槽１００に溶融ガラスを供給する溶融炉、フロート槽１００で成形されたガラスリボンを徐冷する徐冷炉などを更に含むことができる。
【００７８】
本発明によるガラスの製造方法によれば、上述したフロート槽１００を利用してガラスを製造する。
【００７９】
すなわち、本発明によるガラスの製造方法は、フロート槽１００の内部に熱を供給する複数のヒーター１１０をフロート槽１００の上部に設ける段階、及び複数のヒーター１１０のうち所定ヒーター１１０の間の熱伝逹を遮断する遮断膜１２０を設ける段階を含むことができる。
【００８０】
そして、本発明によるガラスの製造方法は、このようなフロート槽１００に溶融ガラスを供給する段階、及びフロート槽１００で成形されたガラスを徐冷する段階を更に含むことができる。
【００８１】
以上、本発明を限定された実施例と図面に基づいて説明したが、本発明はこれに限定されるものではなく、本発明が属する技術分野で通常の知識を持つ者によって、本発明の技術思想と特許請求の範囲の均等範囲内で多様な修正及び変形が可能であることは勿論である。
【図１】
0006048697.tif 000002
【図２】
0006048697.tif 000003
【図３】
0006048697.tif 000004
【図４】
0006048697.tif 000005
【図５】
0006048697.tif 000006
【図６】
0006048697.tif 000007
【図７】
0006048697.tif 000008
【図８】
0006048697.tif 000009
【図９】
0006048697.tif 000010